(57)【要約】【課題】ストラップを取り外すことなく腕金とピン碍子との間に延設金物を差し込むことができるストラップ押上工具を提供する。【解決手段】ストラップ押上工具１は、引留タイプの装柱において、ジャンパー線を固定するピン碍子を、耐張碍子を引き留めるストラップと共に持ち上げることができる。ストラップの上側パーツを載置できるフォーク状の載置部４を有し、これら載置部４同士を一端側で繋ぐブリッジ部２が設けられている。ブリッジ部２が設けられた側の載置部４下方には支持部６が延設されている。支持部６の下端には遠隔操作用の操作棒１２等を連結するための連結部８が設けられている。支持部６の内側には、載置部４と腕金との間に隙間を形成するためのスペーサー１０が設けられている。【選択図】図１
2019013060.tif 000002
【特許請求の範囲】
【請求項１】
腕金を上下に挟んで配置された、耐張碍子固定用のストラップの上側パーツを押し上げるストラップ押上工具であって、
前記腕金の両側面にそれぞれ対向するように配置され、前記上側パーツを載置できる載置部と、
前記載置部の一端側を繋ぐブリッジ部と、
前記載置部の前記ブリッジ部側から下方へ延設された支持部と
を備えたことを特徴とするストラップ押上工具。
【請求項２】
前記支持部及び前記載置部の少なくとも一方には、内側に前記腕金との間に隙間を形成するためのスペーサーが設けられていることを特徴とする請求項１に記載のストラップ押上工具。
【請求項３】
前記支持部には、遠隔操作棒を連結可能な連結部が設けられていることを特徴とする請求項１又は請求項２に記載のストラップ押上工具。
【発明の詳細な説明】
【技術分野】
【０００１】
本発明は、ピン碍子や耐張碍子のストラップを取り外すことなく、電柱の腕金に延設する金具を取り付けることができるストラップ押上工具に関するものである。
【背景技術】
【０００２】
送配電線用の電柱において、電柱に横設された腕金にジャンパー線を固定するためにピン碍子が用いられる。
【０００３】
図７は従来の高圧引下線引留装置２００の設置状態を示した斜視図である。３本の高圧引下線を離間状態に保持する高圧引下線引留碍子２０１を腕金２１０に固定するために高圧引下線引留金物２０２が用いられている。この高圧引下線引留金物２０２は、高圧ピン碍子２１２の軸２１２ａの固定用ナットを緩めて持ち上げることによって形成される隙間に差し込まれる。
【０００４】
この高圧引下線引留金物２０２には、腕金２１０に取り付けられる取付用平板２０３にＬ字型の切り欠き２０３ａが形成されている。そして、高圧ピン碍子２１２の軸２１２ａの固定用ナットを緩めて持ち上げることにより形成される隙間に、Ｌ字型の切り欠き２０３ａ部分が差し込まれる。このようにして高圧ピン碍子２１２と腕金２１０との間に高圧引下線引留金物２０２を挟み込んだ後、固定用ナットを締め付けると、高圧引下線引留金物２０２は安定する。
【０００５】
このような高圧引下線引留装置２００については、特許文献１に記載がある。
【先行技術文献】
【特許文献】
【０００６】
【特許文献１】特開２０１６−５９２１５号公報
【発明の概要】
【発明が解決しようとする課題】
【０００７】
送電線の配線方式には、図７に示したような引き通しタイプのもの以外に、引留タイプのものがある。
【０００８】
図８は、引留タイプの電柱にピン碍子が取り付けられた腕金の周辺を示す斜視図である。
【０００９】
このような引留装柱には、耐張碍子１０２と引留クランプ１０４が用いられる。電柱１００の左右に配された電線１１０は、引留クランプ１０４の間に渡されたジャンパー線１１１によって繋がる。左右の引留クランプ１０４は、それぞれ耐張碍子１０２及びストラップ１０３を介して腕金１０１に固定される。
【００１０】
ストラップ１０３は上下２つのパーツが腕金１０１を上下に挟むようにして取り付けられている。そして、ジャンパー線１１１用のピン碍子１０５はこれらストラップ１０３と腕金１０１とを貫通するようにして立設されている。上述のジャンパー線１１１はピン碍子１０５の上端に形成された凹部１０５ａに固定される。
【００１１】
ここで、図７の構成と同様に、高圧引下線を設置する場合、図８に点線で示したような
延設金物１０７が必要になる。図示した延設金物１０７は引下線（図示せず）用のピン碍子１０６を固定可能な断面コの字型のチャンネル材である。
【００１２】
しかしながら、図８のような引留装柱の場合、腕金１０１とピン碍子１０５との間にストラップ１０３が介在していることに加えて、これらストラップ１０３には張力が生じているので、ピン碍子１０５の固定用ナット（腕金１０１の下方）を緩めて持ち上げても、ストラップ１０３が邪魔になり、延設金物１０７を差し込むことができない。
【００１３】
また、電柱付近では、電線１１０や装柱器材が輻輳しているので作業スペースが限られており、ピン碍子１０５を持ち上げる作業とストラップ１０３を持ち上げる作業を複数の作業者が安全に協働するのは難しい（安全性の面においても懸念が多い）。
【００１４】
そこで、本発明では、ストラップを取り外すことなく腕金とピン碍子との間に延設金物を差し込むことができるストラップ押上工具を提供することを目的とする。
【課題を解決するための手段】
【００１５】
上記目的を達成するために、本発明のストラップ押上工具は、腕金を上下に挟んで配置された、耐張碍子固定用のストラップの上側パーツを押し上げるストラップ押上工具であって、前記腕金の両側面にそれぞれ対向するように配置され、前記上側パーツを載置できる載置部と、前記載置部の一端側を繋ぐブリッジ部と、前記載置部の前記ブリッジ部側から下方へ延設された支持部とを備えたことを特徴とする。
【００１６】
また、本発明のストラップ押上工具は、上記構成に加えて、前記支持部及び前記載置部の少なくとも一方には、内側に前記腕金との間に隙間を形成するためのスペーサーが設けられていることを特徴とする。
【００１７】
また、本発明のストラップ押上工具は、上記構成に加えて、前記支持部には、遠隔操作棒を連結可能な連結部が設けられていることを特徴とする。
【発明の効果】
【００１８】
以上のように、本発明によれば、載置部をストラップの上側パーツの下方に差し込むようにして、ブリッジ部を上側パーツの近傍の腕金上面へ配置すると、下方に延びる支持部をブリッジ部側から載置部の延びる方向（ストラップ側）へ回動操作することにより、ブリッジ部を支点とする梃子の作用で上側パーツが載置部に持ち上げられる。
【００１９】
これにより、腕金から延設する金具を差し込むための隙間を、ストラップと腕金の上面との間に形成することができるので、分解することなく延設作業を行うことが可能であり、作業時間の大幅な短縮化が図られる。
【００２０】
また、本発明によれば、上記効果に加えて、ブリッジ部を腕金の上面に載置した際、スペーサーによって載置部と腕金の側面との間にも隙間が形成されるので、腕金の上側を覆うような断面コの字型の金具を差し込むことが容易になる。
【００２１】
また、本発明によれば、上記効果に加えて、作業環境に応じて遠隔操作棒を取り換えることにより、バケット車又は地上から操作をすることが可能となる。
【図面の簡単な説明】
【００２２】
【図１】本発明の実施の形態に係るストラップ押上工具の斜視図である。
【図２】図１のストラップ押上工具の使用状態であって、（ａ）は配置状態を示し、（ｂ）は（ａ）の部分的に拡大した斜視図である。
【図３】図１のストラップ押上工具の使用状態について側方から見た斜視図である。
【図４】図１のストラップ押上工具の使用状態を示しており、（ａ）は持ち上げ前の状態、（ｂ）は持ち上げ後の状態を示す正面図である。
【図５】図１のストラップ押上工具の側面図である。
【図６】図２とは異なる大きさの腕金に配置した状態を示すストラップ押上工具の斜視図である。
【図７】従来の高圧引下線引留装置の設置状態を示した斜視図である。
【図８】引留タイプの電柱にピン碍子が取り付けられた腕金の周辺を示す斜視図である。
【発明を実施するための形態】
【００２３】
以下、本発明の実施の形態に係るストラップ押上工具について図を用いて説明する。
【００２４】
図１は、本発明の実施の形態に係るストラップ押上工具の全体斜視図である。ストラップ押上工具１と組み合わせ可能な操作棒１２は二点鎖線で表している。
【００２５】
ストラップ押上工具１は平行に配置された２本のフォーク状の載置部４が、一端側でブリッジ部２によって繋がっている。ブリッジ部２が設けられている側の載置部４の下方には、斜め下方向に向かって支持部６が延設されている。この支持部６の下端側には、遠隔操作において使用する際の操作棒１２と連結可能な連結部８を有している。連結部８は、２本の支持部６のそれぞれに設けられているので、作業環境に応じて付け替えることができる。本実施の形態に係る構成では、この連結部８は雄ネジ構造になっている。また、支持部６の内側には、それぞれ２箇所にスペーサー１０が突設されている（図１では一方のみが表れている。）。
【００２６】
次に、このような構成のストラップ押上工具１の使用状態を図２に示す。
【００２７】
図２は、引留装柱に対するストラップ押上工具１の使用状態を示す斜視図であり、図２（ａ）は配置状態の全体像を示し、図２（ｂ）は図２（ａ）に二点鎖線で囲んだ部分の拡大図を示している。ここでは、ストラップ押上工具１の構造を理解し易いように、腕金１０１以外の周辺の構成を点線で表している。
【００２８】
図２（ａ）を参照して、腕金１０１を挟んで耐張碍子１０２が対称に配置されている。それぞれの耐張碍子１０２はストラップ１０３により腕金１０１を上下に挟むようにして固定されている。これらストラップ１０３は上側パーツ１０３ａと下側パーツ１０３ｂとの組み合わせで構成されている。それぞれの耐張碍子１０２に繋がる引留クランプ１０４同士を繋ぐジャンパー線１１１は、２組のストラップ１０３と腕金１０１とを貫通するように立設されたピン碍子１０５の上端の凹部１０５ａに固定されている。
【００２９】
ところで、周辺環境の変化に応じて、送配電線の形も様々に変化する。例えば、高圧引下線を設ける必要が生じた際には、複数の高圧引下線を安全な間隔を保った状態で支持する必要がある。このとき、既存の設備に対して延設するための延設金物が用いられる。図２（ａ）には、引下線用のピン碍子１０６を支持するために断面コの字型のチャンネル材の延設金物１０７を利用する例を示している。
【００３０】
本実施の形態に係るストラップ押上工具１は、このように配置されたピン碍子１０５の下方の固定用ナット１０５ｂを緩めてストラップ１０３を押し上げることができる。そして、ストラップ１０３を押し上げて腕金１０１との間に形成された隙間に、延設金物１０７を差し込むことが可能となる。
【００３１】
図２（ｂ）を参照して、ストラップ押上工具１は、載置部４がストラップ１０３を構成する上側パーツ１０３ａの下方に接するように挿入して配置される。このとき、ブリッジ
部２の下面は腕金１０１の上面１０１ａに接している。また、載置部４の内面は腕金１０１の両側面１０１ｂにそれぞれ対向して配置されている。そして、支持部６には操作棒１２が連結された状態が示されている。このように操作棒１２を利用すると、バケット車などからの作業が容易になる。
【００３２】
このように配置した状態で、ピン碍子１０５の固定用ナット１０５ｂを緩めて、ブリッジ部２を支点として載置部４が持ち上がるように、操作棒１２を回動操作すると、ストラップ１０３の上側パーツ１０３ａと共にピン碍子１０５が持ち上がる。次に、このストラップ１０３の上側パーツ１０３ａとピン碍子１０５とが持ち上げられている様子を図３に示す。
【００３３】
図３は、ストラップ押上工具１の使用状態を示す側方から見た斜視図である。ここでは、持ち上げる前のストラップ押上工具１の配置を仮想線で重ねて表している。このように、本実施の形態に係るストラップ押上工具１を利用すると、耐張碍子１０２を固定するストラップ１０３及びピン碍子１０５を分解することなく、腕金１０１とストラップ１０３との間に隙間を形成することができるので、作業時間が大幅に短縮される。
【００３４】
また、図２及び３に示したように、腕金１０１を介して対称に耐張碍子１０２が配置されている場合は、それぞれからピン碍子１０５に加わる張力が釣り合った状態にあるので、上向きの力を加えるだけで容易に持ち上げることが可能である。続いて、ストラップ１０３の持ち上げ動作について、正面視によって説明する。
【００３５】
図４は、ストラップ１０３の持上げ状態を正面側から見た図であって、図４（ａ）は持ち上げ前の状態を示し、図４（ｂ）は持ち上げ後の状態を示している。
【００３６】
図４（ａ）を参照して、本実施の形態に係るストラップ押上工具１は、対向配置された載置部４と腕金１０１との間に隙間が設けられるような寸法に設計されている。そして、この隙間を埋めることができるスペーサー１０が、支持部６の内側にそれぞれ２つずつ設けられている。このスペーサー１０は、図２に示したような断面コの字型の延設金物１０７（図２参照）を利用する場合であっても、差し込む際に載置部４と干渉しない寸法に設定されている。
【００３７】
次に図４（ｂ）を参照して、操作棒１２の回動操作によりブリッジ部２を支点として載置部４の先端が持ち上がった状態が示されている。これにより、腕金１０１の両側面１０１ｂと上面１０１ａ側に隙間が形成され、延設金物１０７を差し込むことが可能となる。続いて、ストラップ押上工具１の動作安定性について、図５を用いて説明する。
【００３８】
図５は、腕金１０１上に配置したストラップ押上工具１の側面図である。
【００３９】
上述のように、本実施の形態に係る構成では、支持部６の内側に２箇所のスペーサー１０が設けられている。図５では、これらスペーサー１０上に一点鎖線を重ねることにより配列の方向を示している。
【００４０】
図５に見て取れるように、支持部６は載置部４の上面を水平にした状態において、斜め下方に傾斜して配置されている。そして、スペーサー１０も、支持部６の傾斜する方向に沿って配置されている。これにより、それぞれのスペーサー１０には前後方向に距離Ｄ１を置いてオフセットしている。また、高さ方向では距離Ｄ２を置いてオフセットしている。
【００４１】
すなわち、前後方向及び高さ方向にそれぞれオフセットするように設けられたスペーサ
ー１０により、載置部４の先端の振れを防止して安定させることが可能である。
【００４２】
また、スペーサー１０の先端を腕金１０１の側面１０１ｂに摺接させるように操作棒１２を回動させると、少なくともスペーサー１０の突出高さ分だけの隙間が形成されるように載置部４と側面１０１ｂとの間隔が修正される。このため、持ち上げ前に予備的に回動操作することにより、載置部４を適正な配置に修正することができるので、持ち上げ後に延設金物１０７（図２参照）と干渉することによる作業のやり直しなども防止することが可能となる。
【００４３】
次に、断面形状の異なる腕金１１２に対する配置状態を図６に示す。図６は、図２に示した腕金１０１よりも水平方向の幅が狭いタイプの腕金１１２に対する使用例を示した斜視図である。
【００４４】
本実施の形態に係る構成では、ブリッジ部２の下面には、載置部４の延びる方向に平行に凹溝２ａが形成されている。これにより、図６に示したように、幅の狭い腕金１１２に対しても使用可能である。
【００４５】
なお、以上述べてきた構成は、本発明の一実施例であり、以下のような変形も含まれる。
【００４６】
上記の実施の形態では、スペーサー１０は支持部６に設けられている構成を例として示した。しかし、ブリッジ部２が形成されている側に偏って配置されていれば、載置部４側に形成されていても構わない。
【００４７】
上記の実施の形態では、スペーサー１０は、それぞれの支持部６に２つずつ設けられた構成を例として示した。しかし、前後及び上下方向に広がるように配置されていれば、支持部６に沿って形成された突条であっても構わない。
【００４８】
上記の実施の形態では、ストラップ押上工具１は鏡面対称に形成されている構成を例として示した。しかし、載置部４の長さは同じでなくても構わない。また、支持部６は少なくとも一方に設けられていれば良い。
【００４９】
上記の実施の形態では、２つの載置部４が平行に配置された構成を例として示した。しかし、平行配置以外にも、先端に向かって間隔を広げるような構成であっても構わない。
【００５０】
上記の実施の形態では、ブリッジ部２が載置部４の一方の端部に形成されている構成を例として示した。しかし、載置部４の延びる方向において、中心から一方へ偏った配置であれば、端部に形成されていなくても構わない。
【００５１】
上記の実施の形態では、支持部６の連結部８は、雄ネジで構成されている例を示した。しかし、雌ネジ構造や、ツイストロック式の連結構造であっても構わない。
【産業上の利用可能性】
【００５２】
本発明のストラップ押上工具は、ストラップに張力の生じている状態で腕金との間に隙間を形成することができるので、ピン碍子を備えないストラップのみの終端構成に対しても有用である。
【符号の説明】
【００５３】
１      ストラップ押上工具
２      ブリッジ部
２ａ      凹溝
４      載置部
６      支持部
８      連結部
１０      スペーサー
１２      操作棒
１００      電柱
１０１      腕金
１０１ａ      上面
１０１ｂ      側面
１０２      耐張碍子
１０３      ストラップ
１０３ａ      上側パーツ
１０３ｂ      下側パーツ
１０４      引留クランプ
１０５      ピン碍子（ジャンパー線用）
１０５ａ      凹部（ジャンパー線用のピン碍子の上端）
１０５ｂ      固定用ナット
１０６      ピン碍子（引下線用）
１０７      延設金物
１１０      電線
１１１      ジャンパー線
２００      高圧引下線引留装置
２０１      高圧引下線引留碍子
２０２      高圧引下線引留金物
２０３      取付用平板
２０３ａ      切り欠き
２１０      腕金
２１２      高圧ピン碍子
２１２ａ      軸
【図１】
2019013060.tif 000003
【図２】
2019013060.tif 000004
【図３】
2019013060.tif 000005
【図４】
2019013060.tif 000006
【図５】
2019013060.tif 000007
【図６】
2019013060.tif 000008
【図７】
2019013060.tif 000009
【図８】
2019013060.tif 000010